(57)【特許請求の範囲】
【請求項１】
ヒータを内部に備えた貯湯タンクが地下ピット内に配置されてなる地下埋設形貯湯式電気温水器であって、
前記ヒータは前記貯湯タンクに設けられたヒータ挿入口から前記貯湯タンク内に挿入されて前記貯湯タンク内の上部領域に配置され、
前記貯湯タンク内の前記ヒータよりも上の領域と前記貯湯タンク内の下部領域とを連通する循環路が設けられ、
前記循環路に配置されて該循環路を通して前記貯湯タンク内の水を循環させる循環ポンプが前記地下ピットの開口部に近接した位置に配置され、
前記ヒータ挿入口が前記地下ピットの前記開口部に向かって開口するように前記貯湯タンクに形成され、
前記ヒータ及び前記循環ポンプの通電制御装置が前記貯湯タンクの上部に配置され、
前記循環路には三方弁を介して排水管が接続されており、
前記三方弁は前記循環ポンプを稼働させて前記貯湯タンク内の水を前記排水管を通して外部に排出できる位置に設けられ、
前記循環路の前記貯湯タンクの下部領域から前記循環ポンプに至るまでの流路には水流の有無を検出する水流センサが配置され、
前記通電制御装置は前記貯湯タンク内の水を排出する際に、前記水流センサが水流が無いことを検出すると前記循環ポンプを停止させることを特徴とする地下埋設形貯湯式電気温水器。
【請求項２】
前記地下ピットの前記開口部を閉じる開口部閉塞蓋には、前記通電制御装置に対応する位置にハンドホールが形成されており、前記ハンドホールを塞ぐハンドホール閉塞蓋が前記開口部閉塞蓋に取付けられている請求項１に記載の地下埋設形貯湯式電気温水器。
【発明の詳細な説明】
【０００１】
【産業上の利用分野】
本発明は、地下埋設形貯湯式電気温水器に関するものである。
【０００２】
【従来の技術】
実開昭５７−１７９０３９号公報に示されるように、ヒータを内部に備えた貯湯タンクを地下ピット内に配置した地下埋設形貯湯式電気温水器が知られている。貯湯タンクを地下ピット内に配置すれば、地上に貯湯タンクの大きさに相当するスペースを確保できる上、外観を損なうことなく貯湯タンクを配置できる。また地下埋設形貯湯式電気温水器では、貯湯タンク内の保温性が向上する上、地震で貯湯タンクが転倒するのを防止する金具や特別な工事を必要としないという利点がある。
【０００３】
【発明が解決しようとする課題】
一般的な貯湯式電気温水器では、ヒータを貯湯タンク内の下部に配置して、貯湯タンクの下部領域から湯を沸かしている。このようにすると、貯湯タンク内で湯が対流するため、自然に貯湯タンク内の湯を沸きあげることができる。しかしながら、貯湯タンクを地下ピット内に配置すると、点検や修理の際にタンクを引き上げなければ、貯湯タンク内の下部に配置されたヒータやヒータへの通電制御装置を点検及び交換できないという問題があった。
【０００４】
本発明の目的は、貯湯タンクを地下ピットから引き上げることなく、ヒータ等の必要電気部品の点検及び修理を行える地下埋設形貯湯式電気温水器を提供することにある。
【０００５】
本発明の他の目的は、重い開口部閉塞蓋を開けることなく、ヒータ等の通電を制御する通電制御装置の点検及び修理を行える地下埋設形貯湯式電気温水器を提供することにある。
【０００６】
本発明の他の目的は、貯湯タンクから容易に水を排出できる地下埋設形貯湯式電気温水器を提供することにある。
【０００７】
本発明の更に他の目的は、循環ポンプの空運転を防止できる地下埋設形貯湯式電気温水器を提供することにある。
【０００８】
【課題を解決するための手段】
本発明は、ヒータを内部に備えた貯湯タンクが地下ピット内に配置してなる地下埋設形貯湯式電気温水器を対象にする。本発明では、ヒータを貯湯タンクに設けられたヒータ挿入口から貯湯タンク内に挿入して貯湯タンク内の上部領域に配置し、貯湯タンク内のヒータよりも上の領域と貯湯タンク内の下部領域とを連通する循環路を設ける。そしてこの循環路に該循環路を通して貯湯タンク内の水を循環させる循環ポンプを地下ピットの開口部に近接した位置に配置し、ヒータ挿入口を地下ピットの開口部に向かって開口するように貯湯タンクに形成し、ヒータ及び循環ポンプの通電制御装置を貯湯タンクの上部に配置する。ヒータは、ヒータ挿入口を塞ぐ蓋部材に固定するのが好ましい。
【０００９】
地下ピットの開口部を閉じる開口部閉塞蓋の通電制御装置に対応する位置にハンドホールを形成し、ハンドホールを塞ぐハンドホール閉塞蓋を開口部閉塞蓋に取付けるのが好ましい。この様にすると点検修理の頻度が高い通電制御装置に対して、重い開口部閉塞蓋を開けることなく、アクセスすることができて、点検・修理の作業性が向上する。
【００１０】
また循環路に三方弁を介して排水管を接続し、この三方弁を循環ポンプを稼働させて貯湯タンク内の水を排水管を通して外部に排出できる位置にを設けるのが好ましい。この様にすると、三方弁の切替えにより排水管から貯湯タンク内の水を排出できるため、ヒータの交換や、貯湯タンクの交換の際に別に排出用ポンプを用いて貯湯タンク内の水を排出する必要がない。
【００１１】
また循環路の貯湯タンクの下部領域から循環ポンプに至るまでの流路に水流の有無を検出する水流センサを配置し、貯湯タンク内の水を排出する際に、水流センサが水流が無いことを検出すると循環ポンプを停止させるように通電制御装置を構成するのが好ましい。この様にすると、循環ポンプの空運転を防止することができ、循環ポンプの焼損を防止することできる。
【００１２】
【作用】
本発明のように、貯湯タンクに設けるヒータ挿入口を地下ピットの開口部に向かって開口するように設けると、貯湯タンクを地下ピットから引き上げることなく、ヒータの貯湯タンク内への出し入れが容易になるため、ヒータの点検及び修理が容易になる。また循環ポンプを地下ピットの開口部に近接した位置に配置し、通電制御装置を貯湯タンクの上部に配置すると、循環ポンプ及び通電制御装置の点検及び修理も貯湯タンクを地下ピットから引き上げることなく行える利点がある。なおヒータを貯湯タンク内の上部領域に配置しても、循環路を通して貯湯タンク内の水を循環させるため、貯湯タンク内の湯を全体的に沸き上げることができる。
【００１３】
【実施例】
以下、本発明の実施例を図面を参照して詳細に説明する。図１は本発明の実施例の地下埋設形貯湯式電気温水器を地下ピット内に配置した状態の概略断面図である。同図において１は貯湯タンクであり、２はヒータであり、３は循環路であり、４は循環ポンプであり、５は三方弁であり、６は水流センサであり、７は通電制御装置であり、８はリモートコントローラであり、９は給湯路であり、１０はガラスウール等からなる保温材であり、１１は開口部閉塞蓋である。貯湯タンク１は循環路３等の貯湯タンク１に付属する部材と共に保温材１０に包まれた状態で地下ピットＰ内に配置されている。保温材１０を外装ケースにより包囲してもよいのは勿論である。なお地下ピットＰは上部が開口したコンクリート製の筒体が地中に埋設されて構成されている。地下ピットＰをコンクリートで地中に直接形成してもよいのは勿論である。
【００１４】
貯湯タンク１の給水口１ａには、給水弁Ｖ１、減圧弁Ｖ２及び逆止弁ＲＶを介して制圧された水が管路Ｌ１を通して供給されている。そして貯湯タンク１の給湯口１ｂは、給湯路９を構成する管路Ｌ６に接続されている。この貯湯タンク１内の上部には、地下ピットＰの開口部に向かって開口するように筒状のヒータ挿入口１ｃが形成されている。ヒータ挿入口１ｃの開口端部を塞ぐ蓋部材２ａには、貯湯タンク１内の上部領域に配置されるヒータ２の一端が固定されている。蓋部材２ａに固定されたヒータ２は、貯湯タンク１の内部に向かって延びる部分と、この部分から水平方向に延びる部分とを有している。ヒータ２が取り付けられる蓋部材２ａには、サーミスタ等の温度センサからなる温度過昇防止センサ２ｂが備えられている。この温度過昇防止センサ２ｂは、湯の温度が予め定められた設定温度を超えて、湯が沸騰するのを防ぐために設けられている。温度過昇防止センサ２ｂの出力は、後述する通電制御装置７に送られ、通電制御装置７への通電が制御される。
【００１５】
貯湯タンク１の壁部の下部には湯を循環路３に送り出す循環路出口１ｄが設けられており、貯湯タンク１の壁部のヒータ２よりも上方の位置には循環路３から戻る湯を内部に導入する循環路入口１ｅが設けられている。また貯湯タンク１の壁部のヒータ２のやや上方の位置には湯温を測定する第１の温度センサＳ１が取付けられており、貯湯タンク１の側壁の下方の位置には湯温を測定する第２の温度センサＳ２が取付けられている。これら第１及び第２の温度センサＳ１及Ｓ２としては、サーミスタ等を用いることができる。
【００１６】
循環路３は、直列に接続された管路Ｌ２〜Ｌ４により構成されている。管路Ｌ２の一方の端部は貯湯タンク１の循環路出口１ｄに連通しており、他方の端部は地下ピットＰの開口部に近接した位置において循環ポンプ４を介して管路Ｌ３に接続されている。また管路Ｌ２には該管路Ｌ２内を流れる水流の有無を検出する水流センサ６が配置されている。管路Ｌ３は循環ポンプ４の上方において三方弁５を介して管路Ｌ４及び排水用管路（排水管）Ｌ５のそれぞれの一方の端部に接続されている。循環ポンプ４の両側にはポンプの交換や点検の際に閉められるバルブＶ３，Ｖ４が配置されている。
【００１７】
三方弁５はモータ等の駆動源によって駆動されて、管路Ｌ３が管路Ｌ４及び管路Ｌ５にそれぞれ連通するように切り替えることができるようになっており、通常は管路Ｌ３と管路Ｌ４とを連通させている。管路Ｌ４の他方の端部は貯湯タンク１の循環路入口１ｅに連通している。ヒータ２の入力端子、循環ポンプ４の入力端子、三方弁５の駆動手段、水流センサ６の出力、温度センサＳ１，Ｓ２の出力は貯湯タンク１の上方に配置された通電制御装置７に接続されている。この通電制御装置７はリモートコントローラ８からの指令に応じて、ヒータ２への通電の制御と循環ポンプ４を制御する。
【００１８】
貯湯タンク１内に供給される水は、いわゆる定温給湯式の貯湯式電気温水器と同様に沸き上がる。まず給水口１ａから供給された水は、貯湯タンク１の上部領域に配置したヒータ２により急速加熱されて湯になる。次に加熱された湯の温度が例えば８５℃に達したことを第１の温度センサＳ１が検知すると、通電制御装置７の制御により循環ポンプ４が駆動され、矢印ｈに示す方向に湯が流れて貯湯タンク１内の湯が循環される。この循環により貯湯タンク１の上部領域にある高温の湯と下部領域にある水または低温の湯と混合して上部領域の湯の温度が低下する。これによって貯湯タンク１内の上部領域の湯の温度が、例えば７５℃に低下したことを第１の温度センサＳ１が検知すると、通電制御装置７は循環ポンプ４を停止させる。このような循環ポンプ４の駆動及び停止の繰り返しにより、貯湯タンク１内全体の湯を所望の温度まで沸きあげることができる。貯湯タンク１内の下部領域の湯の温度が、沸上設定温度に達したことを第２の温度センサＳ２が検知すると、通電制御装置７はヒータ２への通電を停止し、また循環ポンプ４の駆動も停止する。
【００１９】
前述のこのようにして沸きあげられた湯は、給湯路９に水圧だけで送られる。給湯路９は、管路Ｌ６，Ｌ７が安全弁Ｖ５を介して直列に接続されて構成されており、管路Ｌ７の端部には給湯口を構成するカラン９ａが接続されている。安全弁Ｖ５は、貯湯タンク１から出る湯の圧力が、一定値を超えると湯を管路Ｌ８に流す公知の弁である。また管路Ｌ７は安全弁Ｖ５の上方で逃がし弁Ｖ６が設けられた管路Ｌ９に接続されている。逃がし弁Ｖ６は、貯湯タンク１から送られる湯の圧力が一定値を超えると湯を管路Ｌ９に流す役割と貯湯タンク１内に負圧がかかるのを防ぐ役割とを果たしている。これらの管路Ｌ８，Ｌ９は前述の排水用管路Ｌ５と共に排水溝Ｍに排水を流す排水用共通管路Ｌ１０に排水を流すように配置されている。なおカラン９ａには、管路Ｌ１からカラン９ａに直接水を供給する管路Ｌ１１も接続されている。
【００２０】
貯湯タンク１等を内部に配置する地下ピットＰの開口部は、鉄板を加工して形成される開口部閉塞蓋１１により閉塞されている。開口部閉塞蓋１１は、その周縁部１１ａが図２に示すようにゴム製パッキング１２を介して地下ピットＰにボルト１３により固定されている。また開口部閉塞蓋１１には管路Ｌ５，Ｌ６，Ｌ１１，Ｌ１をそれぞれ貫通させる孔１１ｂ…とハンドホール１１ｃとが形成されている。孔１１ｂを管路Ｌ５が貫通する貫通部では、管路Ｌ５がゴム製ブッシュ１４を介して開口部閉塞蓋１１を貫通している（図２参照）。なお管路Ｌ６，Ｌ１１，Ｌ１も、それぞれゴム製ブッシュ１４を介して管路Ｌ５と同様に開口部閉塞蓋１１を貫通している。
【００２１】
ハンドホール１１ｃは通電制御装置７に、作業者の手を入れることができるように即ちアクセスできるように、開口部閉塞蓋１１の通電制御装置７に対応する位置に形成されている。開口部閉塞蓋１１には、ハンドホール１１ｃを塞ぐハンドホール閉塞蓋１１ｄが取付けられている。ハンドホール閉塞蓋１１ｄを開ければ通電制御装置７の点検修理を容易に行うことができる。ハンドホール閉塞蓋１１ｄの固定には、ボルト止めやネジ止めを用いることができる。
【００２２】
また開口部閉塞蓋１１を取り外してからヒータ挿入口１ｃ及び循環ポンプ４の上部にある保温材１１を取り除けば、ヒータ２及び循環ポンプ４に簡単にアクセスすることができ、貯湯タンク１を地下ピットＰから引き上げることなく、ヒータ２及び循環ポンプ４を点検・修理できる。
【００２３】
なお図示していないが、管路Ｌ５，Ｌ６，Ｌ１１，Ｌ１は、開口部閉塞蓋１１の上方においてジョイントにより切り離し可能な構造になっており、管路Ｌ５，Ｌ６，Ｌ１１，Ｌ１をジョイント部で切り離せば開口部閉塞蓋１１は容易に取り外すことができる。また貯湯タンク１の交換等で貯湯タンク１を地下ピットＰから引き上げる場合には、次のようにして貯湯タンク１内の湯を排出してから行えばよい。まず給水弁Ｖ１を閉じ、安全弁Ｖ５及び逃がし弁Ｖ６を開けてから、管路Ｌ３と管路Ｌ５とが連通するように三方弁５を切り替える。次に循環ポンプ４を駆動させて貯湯タンク１内の湯を出口１ｄから排水溝Ｍに流す。本実施例ではリモートコントローラ８に排水スイッチを設け、排水スイッチをＯＮするだけで通電制御装置７からの指令により自動的に三方弁５の切り替えと、循環ポンプ４の駆動とを行えるようにしている。そして貯湯タンク１内のほとんどの湯が排出されて管路Ｌ３内の水流がなくなったことを水流センサ６が検知すると通電制御装置７からの指令により循環ポンプ４が停止する。
【００２４】
【発明の効果】
本発明によれば、貯湯タンクに設けるヒータ挿入口を地下ピットの開口部に向かって開口するように設けるため、貯湯タンクを地下ピットから引き上げることなく、ヒータの貯湯タンク内への出し入れが容易になり、ヒータの点検及び修理が容易になる。また循環ポンプを地下ピットの開口部に近接した位置に配置し、通電制御装置を貯湯タンクの上部に配置するため、循環ポンプ及び通電制御装置の点検及び修理も貯湯タンクを地下ピットから引き上げることなく行える利点がある。
【図面の簡単な説明】
【図１】本実施例の地下埋設形貯湯式電気温水器の概略断面図である。
【図２】本実施例の地下埋設形貯湯式電気温水器の開口部閉塞蓋の概略部分断面図である。
【符号の説明】
１  貯湯タンク
１ｃ  ヒータ挿入口
２  ヒータ
３  循環路
４  循環ポンプ
５  三方弁
６  水流センサ
７  通電制御装置
８  リモートコントローラ
９  給湯路
１１  開口部閉塞蓋
１１ｃ  ハンドホール
１１ｄ  ハンドホール閉塞蓋
【図１】
0003542820.tif 000002
【図２】
0003542820.tif 000003